(57)【要約】【課題】全体をシンプルな薄型形状として収納や携帯を簡便化すると共に、一度に複数の接続コードの余長部分を巻き取り収納させることができるコード巻取具を提供すること。【解決手段】接続コードの余長部分を巻き取り収納させるコード巻取具であって、該コード巻取具（１）は、コードを挿脱させるコード収納部（２）を、少なくとも一対以上組み合わせて形成されることを特徴とする。また、前記コード収納部（２）は、開口部（４）を具備するカバー体（３）が、基材（５）に対して空間部を有する状態に設置されている。【選択図】    図１
2004238197.tif 000002
【特許請求の範囲】
【請求項１】
接続コードの余長部分を巻き取り収納させるコード巻取具であって、該コード巻取具は、コードを挿脱させるコード収納部を、少なくとも一対以上組み合わせて形成されることを特徴とするコード巻取具。
【請求項２】
前記コード収納部は、開口部を具備するカバー体が、基材に対して空間部を有する状態に設置されている請求項１記載のコード巻取具。
【請求項３】
前記コード収納部が、表裏状態に組み合わされている請求項１または２記載のコード巻取具。
【請求項４】
前記コード収納部が、並列状態に組み合わされている請求項１または２記載のコード巻取具。
【請求項５】
前記コード収納部が、並列状態に、且つ表裏状態に組み合わされている請求項１または２記載のコード巻取具。
【請求項６】
前記基材に掛孔部を設けた請求項１乃至５のいずれか記載のコード巻取具。
【発明の詳細な説明】
【０００１】
【発明の属する技術分野】
本発明は、各種電器に接続されている接続コードの余長部分を巻き取り収納させるコード巻取具であって、特に、複数のコードを一度に収納することができるコード巻取具に関する。
【０００２】
【従来の技術】
従来より、テレビやパソコン等の電器製品の後部には、接続コードや電話線等が複数接続されているが、それらのコードの余長部分が煩雑に絡まり、外観面や安全性で問題が生じた。そのため、電化製品の器機後部に接続されているコードの余分な部分を、体裁よく収納させるコード収納器がある（例えば、特許文献１参照）。
【０００３】
【特許文献１】
特開２０００−１７７９３４号公報  （１−２頁、図１）
【０００４】
【発明が解決しようとする課題】
しかし、上記特許文献１に記載されているコード類の余り部分の収納器は、コード類の余り部分を巻き掛ける巻き掛け部材と、容器本体とこの容器本体の開口を覆う蓋体とから成り、内部に巻き掛け部材とこれに巻き掛けられた、コード類の余り部分を収容する空間を持つケーシングと、ケーシングに形成されたコード類の余り部分の導入口と引き出し口とを備えたものであるため、容器本体内に収納されるコードは一本、もしくは２本と限定される。また、容器内に突起を設けることにより、全体が肉厚状となり、製造工程や全体の重量等が嵩んでしまうという欠点が生じた。
【０００５】
そこで本発明は上記の点に鑑み、全体をシンプルな薄型形状として収納や携帯を簡便化すると共に、一度に複数の接続コードの余長部分を巻き取り収納させることができるコード巻取具を提供することにある。
【０００６】
【課題を解決するための手段】
上記課題を達成するために、接続コードの余長部分を巻き取り収納させるコード巻取具であって、該コード巻取具は、コードを挿脱させるコード収納部を、少なくとも一対以上組み合わせて形成されることを特徴とする。また、前記コード収納部は、開口部を具備するカバー体が、基材に対して空間部を有する状態に設置されている。そのため、全体がシンプルな薄型形状に形成され、さらに複数ののコードを効率よく収納させることができる。
【０００７】
また、前記コード収納部を表裏状態、並列状態、並列状態で且つ表裏状態に組み合わすことにより、収納効率がさらに向上される。さらに、基材に掛孔部を設けたことにより、使用時の利便性も高まる。
【０００８】
【発明の実施の形態】
以下、本発明のコード巻取具の実施の形態を各図面に基づいて説明する。
【０００９】
本発明のコード巻取具は、電化製品の接続コードａの余長部分を収納させるもので、巻取具１のコード収納部２は、開口部４を具備するカバー体３が、基材５に対して空間部を有する状態に設置され形成されている。
【００１０】
また、前記巻取具１は、成型や加工、また強度や製造コスト面等で好適なビニールやプラスチック等の素材からなり、透明または着色された状態で形成されている。
【００１１】
また特に、前記巻取具１は、コードａを挿脱させるコード収納部２を、少なくとも一対以上組み合わせることにより形成されている。
【００１２】
好適例として、図１および図２に示す巻取具１においては、全体が薄状の楕円形状を呈しており、コード収納部２は、略中央にコードａを挿脱させる開口部４を具備するカバー体３が、基材５に対して空間部を有する状態に設置され形成されている。また前記コード収納部２は、基材５の表側に、また、同形状のコード収納部２′は基材５の裏側に設置されている。さらに、基材５の一側面部には突片部６が形成されており、突片部６には掛孔部７が設けられている。
【００１３】
また他の好適例として、図３および図４に示す巻取具１は、前述と同形状のコード収納部３が、基材５の表面に並列状態に一対組み合わされて形成されている。またコード収納部３間の基材５には掛孔部７が設けられている。
【００１４】
また他の好適例として、図５および図６に示す巻取具１は、前述と同形状のコード収納部３が、基材５に並列状態であり、且つ表裏面に一対づつ組み合わされて形成されている。またコード収納部３間の基材５には掛孔部７が設けられている。そのため、本実施例においては、コードａを４本収納させることが可能となる。
【００１５】
なお、図１乃至図６に示す巻取具１は、全体をシンプルな薄型形状とすることが好ましく、柔軟性を有するビニール素材にて形成し、基材５およびカバー体３とは熱溶着や接着剤等により設置される。
【００１６】
また他の好適例として、図７および図８に示す巻取具１においては、全体がやや肉厚状の楕円形状を呈しており、コード収納部２は、側面の少なくとも一か所にコードａを挿脱させる開口部４を具備するカバー体３が、基材５に対して空間部を有する状態に設置されている。また前記コード収納部２は、基材５の表側に、また、同形状のコード収納部２′は基材５の裏側に設置されている。さらに、基材５の一側面部には突片部６が形成されており、突片部６には掛孔部７が設けられている。
【００１７】
また他の好適例として、図９および図１０に示す巻取具１は、前述と同形状のコード収納部３が、基材５の表面に並列状態に一対づつ組み合わされて形成されている。またコード収納部３間の基材５には掛孔部７が設けられている。
【００１８】
また他の好適例として、図１１および図１２に示す巻取具１は、前述と同形状のコード収納部３が、基材５に並列状態であり、且つ表裏面に一対づつ組み合わされて形成されている。またコード収納部３間の基材５には掛孔部７が設けられている。そのため、本実施例においては、コードａを４本収納させることが可能となる。
【００１９】
なお、各図中においては、コード収納部３が、並列状態に一対づつ設けられているがこれに限らず、複数のコード収納部３を並列状態に、且つ表裏面に設けることで、多数のコードを収納させることができる。また、図７乃至図１２に示す巻取具１は、デザインや保形性を高めるため、プラスチック樹脂を一体成型にて形成することが好ましい。
【００２０】
またその他の好適例として、図１３に示すように、コードａを挿脱させる開口部４を−形状の切れ目としたり、図１４に示すように、＋形状の切れ目としてもよい。また多角形状や楕円状の開口部（図示せず）を設けてもよい。さらに、コード収納部３の一部に広告やメッセージ等を設けることにより利便性が高まる。
【００２１】
またさらに、図１５に示すように、袋状の本体８に密着部９を設け、区分されたそれぞれの小袋部１０にコードａを収納させる構造であってもよい。
【００２２】
【発明の効果】
以上説明してきたように、本発明のコード巻取具は、上記の構成とすることで以下に示す効果を奏するものである。
【００２３】
コード巻取具は、コードを挿脱させるコード収納部を、少なくとも一対以上組み合わせて形成されることを特徴とする。また、前記コード収納部は、開口部を具備するカバー体が、基材に対して空間部を有する状態に設置されている。そのため、全体がシンプルな薄型形状に形成され、さらに複数のコードを効率よく収納させることができる。
【００２４】
また、コード収納部を表裏状態、並列状態、並列状態で且つ表裏状態に組み合わすことにより、収納効率がさらに向上される。さらに、基材に掛孔部を設けたことにより、使用時の利便性も高まる。
【図面の簡単な説明】
【図１】薄状のコード収納部を表裏面に設けたコード巻取具の斜視図である。
【図２】前記巻取具の矢視方向からの断面図である。
【図３】コード収納部を並列状態に設けたコード巻取具の斜視図である。
【図４】前記巻取具の矢視方向からの断面図である。
【図５】コード収納部を並列、且つ表裏面に設けたコード巻取具の斜視図である。
【図６】前記巻取具の矢視方向からの断面図である。
【図７】肉厚状のコード収納部を表裏面に設けたコード巻取具の斜視図である。
【図８】前記巻取具の矢視方向からの断面図である。
【図９】コード収納部を並列状態に設けたコード巻取具の斜視図である。
【図１０】前記巻取具の矢視方向からの断面図である。
【図１１】コード収納部を並列、且つ表裏面に設けたコード巻取具の斜視図である。
【図１２】前記巻取具の矢視方向からの断面図である。
【図１３】開口部を−形状の切れ目とした巻取具の正面図である。
【図１４】開口部を＋形状の切れ目とした巻取具の正面図である。
【図１５】他の形状を示す巻取具の斜視図である。
【符号の説明】
１・・・巻取具
２・・・コード収納部
３・・・カバー体
４・・・開口部
５・・・基材
６・・・突片部
７・・・掛孔部
８・・・袋状の本体
９・・・密着部
１０・・小袋部
【図１】
2004238197.tif 000003
【図２】
2004238197.tif 000004
【図３】
2004238197.tif 000005
【図４】
2004238197.tif 000006
【図５】
2004238197.tif 000007
【図６】
2004238197.tif 000008
【図７】
2004238197.tif 000009
【図８】
2004238197.tif 000010
【図９】
2004238197.tif 000011
【図１０】
2004238197.tif 000012
【図１１】
2004238197.tif 000013
【図１２】
2004238197.tif 000014
【図１３】
2004238197.tif 000015
【図１４】
2004238197.tif 000016
【図１５】
2004238197.tif 000017